(57)【要約】【課題】操作スイッチの機能を容易に把握でき、誰でも簡単に操作スイッチを扱うことができる電子機器を提供する。【解決手段】モード切換スイッチ２３を「撮影」位置とした場合には、操作スイッチ４２，４４，４６にキートップ３２，３４，３６が重なり合うように位置され、開口２６，２７，２８にはキートップ３２，３４，３６の押圧面が露呈される。キートップ３２，３４，３６が押圧操作されると、各ボタンスイッチ４２，４４，４６が連動して押圧される。モードによって切り換えられる機能の表示がキートップ３２，３４，３６によってなされるので、モードの切り換えに応じた操作スイッチを容易に把握でき、操作時の混乱を防止して誰でも簡単に電子機器を操作できる。【選択図】    図３
2004178827.tif 000002
【特許請求の範囲】
【請求項１】
第１のモードと第２のモードとを有する電子機器において、
前記第１のモード及び第２のモードでの操作時に共通に使用される操作スイッチと、
前記操作スイッチを操作するための開口が形成された前記電子機器の外装体と、
前記外装体の内側に沿って第１の移動位置と第２の移動位置に移動するとともに、前記第１の移動位置の移動時に前記外装体の開口に臨む前記操作スイッチを操作するための第１のキートップ又は第１の開口と、前記第２の移動位置の移動時に前記外装体の開口に臨む前記操作スイッチを操作するための第２のキートップ又は第２の開口とが設けられたインナースライドカバーと、
前記インナースライドカバーが前記第１の移動位置に移動すると前記第１のモードに切り換え、前記第２の移動位置に移動すると前記第２のモードに切り換えるモード切換手段であって、前記第１のモード又は第２のモードへの切り換えに応じて前記操作スイッチの機能を第１のモード用又は第２のモード用に切り換えるモード切換手段と、を備え、
前記インナースライドカバーは、前記第１の移動位置の移動時に前記外装体の開口に臨む位置に前記操作スイッチの第１のモードにおける機能を表示する第１の機能表示部と、前記第２の移動位置の移動時に前記外装体の開口に臨む位置に前記操作スイッチの第２のモードにおける機能を表示する第２の機能表示部とを有することを特徴とする電子機器。
【請求項２】
第１のモードと第２のモードとを有する電子機器において、
前記第１のモード及び第２のモードでの操作時に共通に使用される操作スイッチと、
前記第１のモード又は第２のモードでの前記操作スイッチの機能表示を行うための窓部が形成された前記電子機器の外装体と、
前記外装体の内側に沿って第１の移動位置と第２の移動位置に移動するとともに、前記第１の移動位置の移動時に前記外装体の窓部に臨む位置に前記操作スイッチの第１のモードにおける機能を表示する第１の機能表示部と、前記第２の移動位置の移動時に前記外装体の窓部に臨む位置に前記操作スイッチの第２のモードにおける機能を表示する第２の機能表示部とが設けられたインナースライドカバーと、
前記インナースライドカバーが前記第１の移動位置に移動すると前記第１のモードに切り換え、前記第２の移動位置に移動すると前記第２のモードに切り換えるモード切換手段であって、前記第１のモード又は第２のモードへの切り換えに応じて前記操作スイッチの機能を第１のモード用又は第２のモード用に切り換えるモード切換手段と、を備えたことを特徴とする電子機器。
【発明の詳細な説明】
【０００１】
【発明の属する技術分野】
本発明は電子機器に係り、特に、モードに応じて複数の所定機能を兼用操作する操作スイッチを備えた電子機器に関する。
【０００２】
【従来の技術】
周知の如く、カメラや携帯電話などの電子機器は、多機能化が図られる一方で小型化、軽量化も同時に望まれる傾向にある。
【０００３】
しかしながら、従来までの電子機器では、上述した多機能化にあわせて操作スイッチの数も増加するため、小型化、軽量化に対して相反するネックとなる。これに対処するため、複数の所定機能を兼用操作する操作スイッチを備えた電子機器が知られている（例えば特許文献１参照）。すなわち、特定の操作スイッチに対して、各モードに応じた複数の機能を兼用させて操作スイッチ数を削減し、これにより電子機器の小型化・軽量化を実現している。
【０００４】
【特許文献１】
特開平１１−３３１７３９号公報
【０００５】
【発明が解決しようとする課題】
しかし、このような操作スイッチの兼用化は、操作スイッチの機能が把握し難くなるためユーザーにとっては使い勝手が悪く、とくに電子機器の扱いに不慣れな人にとっては操作スイッチの操作がわかりにくいという問題があった。
【０００６】
本発明はこのような事情に鑑みてなされたもので、操作スイッチの機能を容易に把握でき、誰でも簡単に操作スイッチを扱うことができる電子機器を提供することを目的とする。
【０００７】
【課題を解決するための手段】
請求項１に記載された本発明は、第１のモードと第２のモードとを有する電子機器において、前記第１のモード及び第２のモードでの操作時に共通に使用される操作スイッチと、前記操作スイッチを操作するための開口が形成された前記電子機器の外装体と、前記外装体の内側に沿って第１の移動位置と第２の移動位置に移動するとともに、前記第１の移動位置の移動時に前記外装体の開口に臨む前記操作スイッチを操作するための第１のキートップ又は第１の開口と、前記第２の移動位置の移動時に前記外装体の開口に臨む前記操作スイッチを操作するための第２のキートップ又は第２の開口とが設けられたインナースライドカバーと、前記インナースライドカバーが前記第１の移動位置に移動すると前記第１のモードに切り換え、前記第２の移動位置に移動すると前記第２のモードに切り換えるモード切換手段であって、前記第１のモード又は第２のモードへの切り換えに応じて前記操作スイッチの機能を第１のモード用又は第２のモード用に切り換えるモード切換手段と、を備え、前記インナースライドカバーは、前記第１の移動位置の移動時に前記外装体の開口に臨む位置に前記操作スイッチの第１のモードにおける機能を表示する第１の機能表示部と、前記第２の移動位置の移動時に前記外装体の開口に臨む位置に前記操作スイッチの第２のモードにおける機能を表示する第２の機能表示部とを有することを特徴としている。
【０００８】
請求項１に記載された発明によれば、操作スイッチを操作するための開口に、各モードによって切り換えられる機能の表示がなされるため、操作スイッチの機能を容易に把握できる。
【０００９】
また、請求項２に記載された本発明は、第１のモードと第２のモードとを有する電子機器において、前記第１のモード及び第２のモードでの操作時に共通に使用される操作スイッチと、前記第１のモード又は第２のモードでの前記操作スイッチの機能表示を行うための窓部が形成された前記電子機器の外装体と、前記外装体の内側に沿って第１の移動位置と第２の移動位置に移動するとともに、前記第１の移動位置の移動時に前記外装体の窓部に臨む位置に前記操作スイッチの第１のモードにおける機能を表示する第１の機能表示部と、前記第２の移動位置の移動時に前記外装体の窓部に臨む位置に前記操作スイッチの第２のモードにおける機能を表示する第２の機能表示部とが設けられたインナースライドカバーと、前記インナースライドカバーが前記第１の移動位置に移動すると前記第１のモードに切り換え、前記第２の移動位置に移動すると前記第２のモードに切り換えるモード切換手段であって、前記第１のモード又は第２のモードへの切り換えに応じて前記操作スイッチの機能を第１のモード用又は第２のモード用に切り換えるモード切換手段と、を備えたことを特徴としている。
【００１０】
請求項２に記載された発明よれば、外装体の窓部に、各モードによって切り換えられる機能の表示がなされるため、操作スイッチの機能を容易に把握できる。
【００１１】
【発明の実施の形態】
以下、添付図面に従って、本発明に係る電子機器の好ましい実施の形態を、デジタルカメラを用いた場合を例として詳説する。
【００１２】
図１は、本発明の第１の実施の形態を示すデジタルカメラ１０の背面図である。同図に示すように、このデジタルカメラ１０には、カメラ外装１２に光学系ファインダ１４、ＬＣＤ１６、操作スイッチ群１３が設けられている。また、カメラ外装１２の上部には、撮影モード／再生モードを切り換えるモード切換スイッチ２３が設けられている。なお、カメラ外装１２の正面には、略中央位置に不図示のレンズ鏡筒が設けられている。このレンズ鏡筒の内部には複数のレンズが設けられ、これらレンズの結像位置で、カメラ外装１２の内部には被写体を撮像するためのＣＣＤ５２（図１において不図示）が内蔵されている。
【００１３】
カメラ外装１２の背面左上側には光学系ファインダ１４が設けられており、撮影モード時に撮影者は、この光学系ファインダ１４によって被写体を捉えて撮影が行なわれる。
【００１４】
カメラ外装１２の背面左下側には液晶モニタ（ＬＣＤ）１６が設けられている。このＬＣＤ１６は、ＬＣＤ１６全体を照明するバックライトとともに制御基板３０に搭載されて、カメラ外装１２の当該領域に開設された矩形窓１７からＬＣＤ１６の表示面を露呈するように配置されている。このＬＣＤ１６には、撮影モード時において撮影する直前の画像が表示され、撮影者は光学系ファインダ１４を用いることなくＬＣＤ１６にて被写体のピントや露出を確認しながら撮影が行なえる。また、再生モード時には撮影した画像をＬＣＤ１６にて再生表示できる。
【００１５】
図１において、カメラ外装１２の背面右側には開口２６，２７，２８が形成され、この開口２６，２７，２８には後述するキートップ（図１では消去キートップ１８，コマ送りキートップ２０，コマ戻しキートップ２２）が押圧面を露呈して配置されて、操作スイッチ群１３を構成している。
【００１６】
カメラ外装１２の上部にはモード切換スイッチ２３が設けられ、指掛部２４の図１における右側の停止位置が「撮影モード」、左側の停止位置が「再生モード」の設定位置にそれぞれ対応している。なお、カメラ外装１２の上部天面には「再生」、「撮影」という文字が、上述した停止位置に対応して印刷されている。
【００１７】
また、カメラ外装１２の上面には電源オン／オフを切り換えるため主電源スイッチ４９が設けられている。なお、カメラ外装１２にはカメラ１０に電力を供給させる不図示のバッテリが内蔵されている。
【００１８】
図２は、本発明に係るデジタルカメラ１０の内部機器の構成を示す斜視図である。同図に示すように、カメラ外装１２の内部にはインナースライドカバー４０が収められ、カメラ外装１２の内部に設けられた案内ガイド３１，３３とインナースライドカバー４０下端部が係合されて、インナースライドカバー４０をカメラ外装１２の左右方向でスライド自在としている。また、インナースライドカバー４０には、その上部に前記指掛部２４が設けられ、カメラ外装１２に形成された長孔２５から突出されており、この指掛部２４を操作してインナースライドカバー４０がスライドされる。
【００１９】
インナースライドカバー４０は、カメラ外装１２の背面と略平行に設けられたキートップ配置面４１を有している。キートップ配置面４１の右側領域における略中央位置には「消去」の機能表示が表面（押圧面）に付された消去キートップ１８が設けられている。また、消去キートップ１８の下側には「▽」の機能表示が付されたコマ送りキートップ２０が設けられ、消去キートップ１８の上側には「△」の機能表示が付されたコマ戻しキートップ２２が設けられ、これらキートップ１８，２０，２２によって再生系の機能表示部が構成されている。
【００２０】
キートップ配置面４１の左側領域における略中央位置には、「撮影」の機能表示がなされた撮影（レリーズ）キートップ３２が設けられ、レリーズキートップ３２の下側には「Ｗ（ズーム拡大）」の機能表示が付されたズーム拡大キートップ３４が設けられ、レリーズキートップ３２の上側には「Ｔ（ズーム縮小）」の機能表示が付されたズーム縮小キートップ３６が設けられている。これらキートップ３２，３４，３６によって撮影系の機能表示部が構成されている。
【００２１】
カメラ外装１２の内部には制御基板３０が収められている。この制御基板３０には操作スイッチ（撮影／消去操作スイッチ）４２，（ズーム拡大／コマ送り操作スイッチ）４４，（ズーム縮小／コマ戻し操作スイッチ）４６が設けられ、これら操作スイッチ４２，４４，４６は後述する操作基板（図４参照）７０に不図示の回路を介して回路接続されている。なお、操作スイッチ４２，４４，４６の取り付け間隔は、前述したキートップ１８，２０，２２（３２，３４，３６）と等しい所定の間隔で配置されている。
【００２２】
このような構成のインナースライドカバー４０をスライド操作することによって、キートップ１８，２０，２２（３２，３４，３６）が操作スイッチ４２，４４，４６と夫々重なり合う。すなわち、インナースライドカバー４０の指掛部２４を「撮影」位置とした場合には（図３参照）、操作スイッチ４２，４４，４６にキートップ３２，３４，３６が重なり合うように位置され、開口２６，２７，２８ではキートップ３２，３４，３６の押圧面が露呈される。
【００２３】
同様に、インナースライドカバー４０の指掛部２４を「再生」位置とした場合には（図１参照）、操作スイッチ４２，４４，４６にキートップ１８，２０，２２が重なり合うように位置され、開口２６，２７，２８では、キートップ１８，２０，２２の押圧面が露呈される。
【００２４】
図２において、制御基板３０にはマイクロスイッチ４７が設けられている。このマイクロスイッチ４７は、モード切換スイッチ２３の停止位置が「撮影」位置の場合には、マイクロスイッチ４７の切り替え片がキートップ配置面４１の下部に形成された切り欠き４３に入り込み、マイクロスイッチ４７が接放（オフ）される（図３参照）。また、モード切換スイッチ２３の停止位置が「再生」位置の場合には、マイクロスイッチ４７が切り欠き４３に入ることなくキートップ配置面４１の下部に当接して、マイクロスイッチ４７が押圧（オン）される。このマイクロスイッチ４７は後述する操作基板（図４参照）７０に不図示の回路を介して回路接続されている。
【００２５】
図４はデジタルカメラ１０の各機器の構成を示したブロック図である。同図に示すように制御基板３０には、操作基板７０、中央処理装置（ＣＰＵ）５０、ＣＣＤ５２、アナログ信号処理部５４、デジタル信号処理部５８、表示メモリ６６、ＬＣＤ１６、メモリ（ＤＲＡＭ）６０、メモリカード６４などの機器が取り付けられている。
【００２６】
操作基板７０は、図１乃至図３に示した各種操作機器と回路接続されており、撮影者によるこれら操作機器の操作に基づいてＣＰＵ５０に指示信号を出力する。とくに操作基板７０は、前述した撮影／消去操作スイッチ４２，ズーム拡大／コマ送り操作スイッチ４４，ズーム縮小／コマ戻し操作スイッチ４６、マイクロスイッチ４７の夫々と回路接続されており、操作基板７０からＣＰＵ５０に各スイッチに対応した指示信号を出力する。なお、図４において、操作基板７０に接続された他の操作機器（たとえば電源スイッチ４９など）はその表記を省略している。
【００２７】
ＣＰＵ５０は本デジタルカメラ１０の制御を司る制御装置に相当し、操作基板７０からの指示信号の入力に基づいて、デジタル信号処理部５８に制御信号を出力するとともに各機器を総括的に制御する。とくにＣＰＵ５０は、操作基板７０から出力された操作スイッチ４２，４４，４６の指示信号を、撮影／再生モードによって切り換えて認識する。すなわち、マイクロスイッチ４７がオフの場合には、ＣＰＵ５０は撮影モードとなり、操作スイッチ４２，４４，４６を撮影操作系として認識する。一方、マイクロスイッチ４７がオンの場合にはＣＰＵ５０は再生モードとなり、操作スイッチ４２，４４，４６を再生操作系として認識する。
【００２８】
ＣＣＤ５２は、レンズ鏡筒から取り込まれて結像された被写体光を、入射光量に応じた量の信号電荷に変換する。この信号電荷はクロックパルスに基づき、信号電荷に応じた電圧信号（画像信号）として順次ＣＣＤ５２から読み出されて、アナログ信号処理部５４に加えられる。
【００２９】
アナログ信号処理部５４は、ＣＤＳクランプ、ゲインコントロール回路などを有しており、ＣＣＤ５２から加えられた画像信号にサンプリングやホワイトバランス調整などの所要のアナログ処理を施す。また、アナログ処理された画像信号をＡ／Ｄ変換器５６によって画像データに変換させ、デジタル信号処理部５８に出力させる。なお、上記ＣＣＤ５２、アナログ信号処理部５４およびＡ／Ｄ変換器５６は、タイミングジェネレータ５７からのタイミング信号により同期して動作される。
【００３０】
デジタル信号処理部５８はガンマ補正回路などを有しており、撮影モード時において、アナログ信号処理部５４（Ａ／Ｄ変換器５６）から入力された画像データに対し、必要に応じてガンマ補正などのデジタル処理を施す。また、再生モード時において、メモリ６０から入力された画像データを取り込み、この画像データを表示メモリ６６に出力してＬＣＤ１６にて表示させる。
【００３１】
メモリカード６４は画像データを記録保存する。撮影モード時において、撮影／消去操作スイッチ４２による指示信号の入力があると、デジタル信号処理部５８によってメモリ６０に出力された画像データが、圧縮伸張回路６２によって圧縮処理され、カードリーダ／ライタ装置６３によってメモリカード６４に記録されて保存される。また、再生モード時にズーム拡大／コマ送り操作スイッチ４４またはズーム縮小／コマ戻し操作スイッチ４６による指示信号の入力があると、メモリカード６４にて保存されている画像データをカードリーダ／ライタ装置６３によって読み出し、圧縮伸張回路６２によって伸張処理した後、メモリ６０に書き込む。なお、メモリカード６４としてはＸＤピクチャーカードやフラッシュメモリーカードなどの記録媒体が用いられる。
【００３２】
次に、上記の如く構成されたデジタルカメラの作用を説明する。
【００３３】
はじめに、撮影モード時における操作について説明する。図３に示すように、モード切換スイッチ２３の指掛部２４を「撮影」位置として撮影モードにする。操作スイッチ群１３にはレリーズキートップ３２，ズーム拡大キートップ３４、ズーム縮小キートップ３６が位置される。
【００３４】
ズーム拡大キートップ３４またはズーム縮小キートップ３６を押圧操作することにより、ＣＣＤ５２によって取り込まれた画像を拡大または縮小できる。すなわち、ズーム拡大キートップ３４またはズーム縮小キートップ３６が押圧操作されると、ズーム拡大／コマ送り操作スイッチ４４またはズーム縮小／コマ戻し操作スイッチ４６が連動して押圧される。図４におけるＣＰＵ５０では、ズーム拡大／コマ送り操作スイッチ４４、ズーム縮小／コマ戻し操作スイッチ４６からの指示信号に基づいた制御信号をＣＰＵ５０からデジタル信号処理部５８に出力する。デジタル信号処理部５８では、画像データに対してデジタルズーム領域の画像を取り込むデジタル処理が行われ、デジタル処理された画像データは表示メモリ６６に書き込まれてＬＣＤ１６にて表示される。
【００３５】
この状態のまま図３におけるレリーズキートップ３２を押圧操作すると、撮影／消去操作スイッチ４２が連動して押圧されて撮影が行われる。デジタル信号処理部５８では、デジタル処理が行われた画像の画像データをメモリ６０に出力し、圧縮された画像データがメモリカード６４に書き込まれる（図４参照）。
【００３６】
このように、図３におけるデジタルカメラ１０の外観上、撮影操作系の操作スイッチが機能表示とともに明確に示され、これら操作スイッチの機能を容易に把握できる。
【００３７】
次に再生モード時における操作を説明する。図１に示すように、モード切換スイッチ２３の指掛部２４を「再生」位置として再生モードにする。操作スイッチ群１３には消去キートップ１８，コマ送りキートップ２０、コマ戻しキートップ２２が位置される。再生モードとすることで、メモリカード６４から最後に撮影された画像データがデジタル信号処理部５８に読み込まれ、その画像データが表示メモリ６６に書き込まれてＬＣＤ１６にて表示される（図４参照）。
【００３８】
コマ送りキートップ２０またはコマ戻しキートップ２２を押圧操作することにより、ＬＣＤ１６に、メモリカード６４に記録された他の画像を順番に表示できる。すなわち、コマ送りキートップ２０またはコマ戻しキートップ２２が押圧操作されると、ズーム拡大／コマ送り操作スイッチ４４またはズーム縮小／コマ戻し操作スイッチ４６が連動して押圧される。図４におけるＣＰＵ５０では、ズーム拡大／コマ送り操作スイッチ４４、ズーム縮小／コマ戻し操作スイッチ４６からの指示信号に基づいた制御信号をＣＰＵ５０からデジタル信号処理部５８に出力する。デジタル信号処理部５８では、メモリカード６４に記録された画像データを読み込む処理が行われる。すなわち、ズーム拡大／コマ送り操作スイッチ４４が操作される毎に、デジタル信号処理部５８ではメモリカード６４に記録された新しい画像データを順番に読み込む。また、ズーム縮小／コマ戻し操作スイッチ４６が操作される毎に、デジタル信号処理部５８ではメモリカード６４に記録された古い画像データを順番に読み込む。デジタル信号処理部５８にて読み込まれた画像データは、表示メモリ６６を介してＬＣＤ１６に画像として表示される。
【００３９】
この状態のまま、図１における消去キートップ１８を一回押すとＬＣＤ１６に表示中の画像の消去モードとなり、ＬＣＤ１６には消去実行の再確認を促すメッセージが表示される。その後、撮影者が消去キートップ１８を再度押圧することにより表示中の画像データの消去が実行される。
【００４０】
上述したように本実施の形態に係るデジタルカメラ１０では、操作スイッチ４２，４４，４６を操作するための開口２６，２７，２８に、モードによって切り換えられる機能の表示がキートップ３２，３４，３６によってなされるので、モードの切り換えに応じた操作スイッチの機能を容易に把握でき、操作時の混乱を防止して誰でも簡単に電子機器を操作できる。とくに、撮影系と再生系とで、操作スイッチがデジタルカメラ１０の外観上明確に区分され、たとえば撮影時に再生操作スイッチ群を誤って操作してしまうことがなく、誤操作も回避できる。
【００４１】
なお、これら操作スイッチ群１３の別の実施の形態として、たとえば、中央位置に開口が形成されるとともに、この開口縁部に機能表示が印字された機能表示部材をキートップ１８，２０，２２（３２，３４，３６）に換えて取り付けて、撮影者により開口を介して操作スイッチ４２，４４，４６を直接押圧する構成としてもよい。撮影者は開口縁部の機能表示によって操作スイッチ４２，４４，４６の機能を直感的に把握できるので、このような実施の形態においても操作スイッチの機能を容易に把握できる。
【００４２】
図５は、本発明の第２の実施の形態を示すデジタルカメラ７２の背面図である。
【００４３】
このデジタルカメラ７２のカメラ外装７８には、撮影／消去操作スイッチ７３，ズーム拡大／コマ送り操作スイッチ７５，ズーム縮小／コマ戻し操作スイッチ７７からなる操作スイッチ群７６が設けられ、これら操作スイッチ７３，７５，７７は、前記操作基板７０（図４参照）に不図示の回路を介して接続されている。また、カメラ外装７８には機能表示窓８１，８２，８３が形成され、夫々の機能表示窓８１，８２，８３は撮影／消去操作スイッチ７３，ズーム拡大／コマ送り操作スイッチ７５，ズーム縮小／コマ戻し操作スイッチ７７に近接して配置されている。
【００４４】
カメラ外装７８の内部には、指掛部８４を備えたインナースライドカバー８０が左右方向にスライド自在に取り付けられるとともに、インナースライドカバー８０の機能表示面８５には「消去」表示８８，「コマ送り」表示８９，「コマ戻し」表示９０からなる再生系の機能表示部と、「撮影」表示９１，「Ｗ（ズーム拡大）」表示９２，「Ｔ（ズーム縮小）」表示９３からなる撮影系の機能表示部が施されている。指掛部２４を操作してインナースライドカバー４０がスライドされると、機能表示窓８１，８２，８３には再生系と撮影系とを切り換えて表示させることができる。なお、前記操作基板７０に回路接続されたマイクロスイッチ４７が制御基板３０に取り付けられており、モード切換スイッチ７４の停止位置によって、機能表示面８５の下部に形成された切り欠き９９にマイクロスイッチ４７の切り替え片が入り込み、マイクロスイッチ４７がオン・オフされて、前記ＣＰＵ５０のモードが切り換えられる。
【００４５】
このような構成のデジタルカメラ７２によって、モード切換スイッチ７４の指掛部８４を「撮影」位置として撮影モードとすると、再生系の機能表示９１，９２，９３はカメラ外装７８に隠れ、撮影系の機能表示８８，８９，９０のみが機能表示窓８１，８２，８３に露呈する。これにより、撮影者は操作スイッチ７３，７５，７７の機能を「消去スイッチ」，「コマ送りスイッチ」，「コマ戻しスイッチ」として認識できる。
【００４６】
また、モード切換スイッチ７４の指掛部２４を「再生」位置として再生モードとすると、撮影系の機能表示８８，８９，９０はカメラ外装７８に隠れ、再生系の機能表示９１，９２，９３のみが機能表示窓８１，８２，８３に露呈する。これにより、撮影者は操作スイッチ７３，７５，７７の機能を「撮影スイッチ」，「Ｗ（ズーム拡大）スイッチ」，「Ｔ（ズーム縮小）スイッチ」として認識できる。
【００４７】
このように、各モードによって切り換えられる操作スイッチ７３，７５，７７の機能の表示が機能表示窓８１，８２，８３になされるので、モードの切り換えに応じた操作スイッチの機能を容易に把握でき、操作時の混乱を防止して誰でも簡単に電子機器を操作できる。
【００４８】
なお、上述したように本発明の電子機器は、例としてデジタルカメラに適用した例を説明したが、本発明はデジタルカメラに限らず、たとえば、エアコンやビデオデッキを操作するリモコンや、携帯電話などにも適用することができる。すなわち、エアコンにおいては時刻設定モードや温度設定モード、ビデオデッキにおいてはビデオ再生モードや録画モード、携帯電話においては通話モードや電子メール作成モードなどに適用できる。すなわち、各モードに応じて複数の所定機能を兼用操作する操作スイッチを備えた電子機器に対して本発明を適用することで、小型で、かつ多機能の電子機器を得ることができ、誰でも容易に操作できる電子機器を得ることができる。
【００４９】
【発明の効果】
以上、説明したように本発明によれば、操作スイッチを操作するための開口に、各モードによって切り換えられる機能の表示がなされるため、操作スイッチの機能を容易に把握できる。
【図面の簡単な説明】
【図１】本発明の実施の形態の電子機器としてデジタルカメラを用いた場合の斜視図
【図２】本発明の実施の形態として用いたデジタルカメラの内部機器の構成を示した斜視図
【図３】本発明の実施の形態としてデジタルカメラを用いた場合の作用を示す斜視図
【図４】本発明の実施の形態としてのデジタルカメラの構成を示すブロック図
【図５】本発明の実施の形態として別のデジタルカメラを用いた場合の斜視図
【符号の説明】
１０…デジタルカメラ、１２，７８…カメラ外装、１３…操作スイッチ群、１８…消去キートップ、２０…コマ送りキートップ、２２…コマ戻しキートップ、２３，７４…モード切換スイッチ、３２…レリーズキートップ、３４…ズーム拡大キートップ、３６…ズーム縮小キートップ、４０，８０…インナースライドカバー、４２…撮影／消去操作スイッチ、４４…ズーム拡大／コマ送り操作スイッチ、４６…ズーム縮小／コマ戻し操作スイッチ、５０…ＣＰＵ、８１，８２，８３…機能表示窓、８８…「消去」表示、８９…「コマ送り」表示、９０…「コマ戻し」表示、９１…「撮影」表示、９２…「Ｗ（ズーム拡大）」表示、９３…「Ｔ（ズーム縮小）」表示
【図１】
2004178827.tif 000003
【図２】
2004178827.tif 000004
【図３】
2004178827.tif 000005
【図４】
2004178827.tif 000006
【図５】
2004178827.tif 000007